(57)【要約】【課題】  地下水流を利用した簡易かつ効率的な揮発性有機塩素化合物で汚染された土壌の浄化方法を提供すること。【解決手段】  汚染領域の地下水流の上流側に透水層下部に至るまでの有機酸および／または二酸化炭素供給ポイントを設け、下流側に透水層下部に至るまでの浄化ポイントを設け、地下水流により、有機酸および／または二酸化炭素供給ポイントから有機酸および／または二酸化炭素を汚染領域に到達させて揮発性有機塩素化合物を汚染領域から遊離させ、汚染領域から遊離した揮発性有機塩素化合物を浄化ポイントに到達させて分解することを特徴とする。【選択図】  図１
2007275710.tif 000002
【特許請求の範囲】
【請求項１】
揮発性有機塩素化合物で汚染された土壌の浄化方法であって、汚染領域の地下水流の上流側に透水層下部に至るまでの有機酸および／または二酸化炭素供給ポイントを設け、下流側に透水層下部に至るまでの浄化ポイントを設け、地下水流により、有機酸および／または二酸化炭素供給ポイントから有機酸および／または二酸化炭素を汚染領域に到達させて揮発性有機塩素化合物を汚染領域から遊離させ、汚染領域から遊離した揮発性有機塩素化合物を浄化ポイントに到達させて分解することを特徴とする浄化方法。
【請求項２】
有機酸がクエン酸および／またはリンゴ酸であることを特徴とする請求項１記載の洗浄方法。
【請求項３】
二酸化炭素を含む気体を少なくとも０．１ＭＰａ以上の圧力をかけて供給することを特徴とする請求項１記載の浄化方法。
【請求項４】
二酸化炭素を含む気体が排気ガスであることを特徴とする請求項３記載の浄化方法。
【請求項５】
浄化ポイントに浄化剤として鉄、マグネシウム、アルミニウム、亜鉛、これらの金属の少なくとも１つを含む合金から選ばれる少なくとも１つの粉末を配置することを特徴とする請求項１乃至４のいずれかに記載の浄化方法。
【請求項６】
浄化ポイントにさらに活性炭を配置することを特徴とする請求項５記載の浄化方法。
【請求項７】
浄化ポイントに砂礫を混合することを特徴とする請求項５記載の浄化方法。
【発明の詳細な説明】
【技術分野】
【０００１】
本発明は、揮発性有機塩素化合物で汚染された土壌の浄化方法に関する。
【背景技術】
【０００２】
従来から知られているテトラクロロエチレンなどの揮発性有機塩素化合物で汚染された土壌の浄化方法としては、例えば、特許文献１に記載されているような、汚染された土壌の汚染範囲の地中に、土壌を掘進しながら浄化剤を混合して混合壁を形成するようにして行う方法がある。
【特許文献１】特開２００１−３２１７６２号公報
【発明の開示】
【発明が解決しようとする課題】
【０００３】
しかしながら、特許文献１に記載の浄化方法は、浄化に時間がかかるといった問題や混合壁を多数形成しなければ浄化できないといった問題がある。
そこで本発明は、簡易かつ効率的な揮発性有機塩素化合物で汚染された土壌の浄化方法を提供することを目的とする。
【課題を解決するための手段】
【０００４】
上記の点に鑑みてなされた本発明は、請求項１記載の通り、揮発性有機塩素化合物で汚染された土壌の浄化方法であって、汚染領域の地下水流の上流側に透水層下部に至るまでの有機酸および／または二酸化炭素供給ポイントを設け、下流側に透水層下部に至るまでの浄化ポイントを設け、地下水流により、有機酸および／または二酸化炭素供給ポイントから有機酸および／または二酸化炭素を汚染領域に到達させて揮発性有機塩素化合物を汚染領域から遊離させ、汚染領域から遊離した揮発性有機塩素化合物を浄化ポイントに到達させて分解することを特徴とする。
また、請求項２記載の浄化方法は、請求項１記載の洗浄方法において、有機酸がクエン酸および／またはリンゴ酸であることを特徴とする。
また、請求項３記載の浄化方法は、請求項１記載の浄化方法において、二酸化炭素を含む気体を少なくとも０．１ＭＰａ以上の圧力をかけて供給することを特徴とする。
また、請求項４記載の浄化方法は、請求項３記載の浄化方法において、二酸化炭素を含む気体が排気ガスであることを特徴とする。
また、請求項５記載の浄化方法は、請求項１乃至４のいずれかに記載の浄化方法において、浄化ポイントに浄化剤として鉄、マグネシウム、アルミニウム、亜鉛、これらの金属の少なくとも１つを含む合金から選ばれる少なくとも１つの粉末を配置することを特徴とする。
また、請求項６記載の浄化方法は、請求項５記載の浄化方法において、浄化ポイントにさらに活性炭を配置することを特徴とする。
また、請求項７記載の浄化方法は、請求項５記載の浄化方法において、浄化ポイントに砂礫を混合することを特徴とする。
【発明の効果】
【０００５】
本発明によれば、地下水流を利用した簡易かつ効率的な揮発性有機塩素化合物で汚染された土壌の浄化方法が提供される。
【発明を実施するための最良の形態】
【０００６】
本発明は、揮発性有機塩素化合物で汚染された土壌の浄化方法であって、汚染領域の地下水流の上流側に透水層下部に至るまでの有機酸および／または二酸化炭素供給ポイントを設け、下流側に透水層下部に至るまでの浄化ポイントを設け、地下水流により、有機酸および／または二酸化炭素供給ポイントから有機酸および／または二酸化炭素を汚染領域に到達させて揮発性有機塩素化合物を汚染領域から遊離させ、汚染領域から遊離した揮発性有機塩素化合物を浄化ポイントに到達させて分解することを特徴とするものである。
【０００７】
以下、本発明の揮発性有機塩素化合物で汚染された土壌の浄化方法を、図１を参照しながら説明する。
【０００８】
まず、酸化マグネシウムや酸化カルシウムなどの砂利の成分と化学反応する有機酸や二酸化炭素を、汚染領域の地下水流の上流側に設けた供給ポイントから地下水流を利用して汚染領域に到達させることで揮発性有機塩素化合物が付着している砂利と接触させる。すると、砂利の成分が有機酸や二酸化炭素と化学反応することで砂利が溶解するなどし、砂利に付着している揮発性有機塩素化合物が砂利から剥離乃至溶出して汚染領域から遊離する。酸化マグネシウムや酸化カルシウムと有機酸や二酸化炭素との化学反応は次の反応式で表すことができる。ＭＯ＋２ＲＣＯＯＨ→Ｍ2+＋２ＲＣＯＯ-＋Ｈ2Ｏ，ＭＯ＋ＣＯ2→ＭＣＯ3（ＭはＭｇまたはＣａ，Ｒはアルキル基）。次に、汚染領域から遊離した揮発性有機塩素化合物を地下水流を利用して汚染領域の地下水流の下流側に設けた浄化ポイントに到達させて分解する。有機酸および／または二酸化炭素供給ポイントと浄化ポイントを透水層下部に至るまで設けるのは、通常、揮発性有機塩素化合物は難透水層の上の地下水が通る透水層に蓄積されるからである。なお、図１に示すように、浄化ポイントは難透水層にまで到達するように設け、揮発性有機塩素化合物を含む地下水を浄化ポイントで確実に捕捉し、地下水に含まれる揮発性有機塩素化合物を確実に分解できるようにすることが望ましい。
【０００９】
有機酸としてはクエン酸および／またはリンゴ酸が望ましい。供給ポイントから汚染領域への有機酸の供給は、有機酸の溶液を用いて行えばよい。
【００１０】
供給ポイントから汚染領域への二酸化炭素の供給は、二酸化炭素を含む気体、例えば、排気ガスを少なくとも０．１ＭＰａ以上の圧力をかけて行うことが望ましいが、二酸化炭素を溶解した廃水を用いてもよい。
【００１１】
浄化ポイントには揮発性有機塩素化合物の脱塩素化作用を有する鉄、マグネシウム、アルミニウム、亜鉛、これらの金属の少なくとも１つを含む合金から選ばれる少なくとも１つの粉末を浄化剤として配置することが望ましい。浄化剤の配置の態様は特段限定されるものではなく、例えば、浄化剤となる金属粉末を含む汚泥を配置することで行えばよい。また、浄化剤となる金属粉末を充填した鉄管を複数本一箇所に密に埋設し、その周囲に鋼矢板からなる遮水壁を設けて揮発性有機塩素化合物を含む地下水を鉄管埋設箇所に誘導して行ってもよいし、浄化剤となる金属粉末を充填した鉄管を所定間隔で埋設して行ってもよい。
【００１２】
なお、浄化ポイントにさらに活性炭を配置したり、砂礫を混合したりすることで、浄化ポイントにおける揮発性有機塩素化合物の分解を効率よく行うことができる。
【産業上の利用可能性】
【００１３】
本発明は、地下水流を利用した簡易かつ効率的な揮発性有機塩素化合物で汚染された土壌の浄化方法を提供することができる点において産業上の利用可能性を有する。
【図面の簡単な説明】
【００１４】
【図１】本発明の揮発性有機塩素化合物で汚染された土壌の浄化方法の概略を説明するための図である。
【図１】
2007275710.tif 000003